(57)【要約】【課題】高周波抵抗を低減しつつ、簡単な構成で、加工性を大幅に向上させる誘導加熱コイルとそれを使用した安価な誘導加熱調理器を提供することを目的とする。【解決手段】誘導加熱コイル２４は、リボン状銅箔線２９を用いることで、うず巻状に巻回してコイル状に形成しやすく、簡単な構成で、加工性を大幅に向上させ、安価な誘導加熱コイル２４を提供することができるようになる。また、マイカ３１（スペース手段）と磁性体層４４の相乗効果で、近接効果で生じる高周波抵抗を低減するとともに、コンパクトに、誘導加熱コイル２４を形成することができ、さらに、磁性体層４４を薄くできるので、塗布または印刷、転写等によって容易に表面に形成できるとともに、磁性材料を曲がりやすく構成でき、うず巻状に巻回してコイル状に形成しやすく、加工性が大幅に向上する。【選択図】図１
2011146188.tif 000002
【特許請求の範囲】
【請求項１】
被加熱調理容器を加熱する略円形状の誘導加熱コイルと、前記誘導加熱コイルを保持するコイルベースとを備え、前記誘導加熱コイルは、銅箔やアルミ箔などの金属製導体箔をリボン状に形成したリボン状導線を円板状になるようにうず巻状に巻回し形成し、且つ、うず巻状に巻回した隣り合う前記リボン状導線間に間隔を設けるスペース手段を配設するとともに、前記スペース手段あるいはリボン状導線にフェライトなど磁性材料の磁性体層を表面に形成する磁性体層形成手段を配設し、うず巻状に巻回した隣り合う前記リボン状導線間に磁性体層を配設した誘導加熱コイル。
【請求項２】
前記磁性体層形成手段は前記リボン状導線にフェライトなど磁性材料を塗布または印刷、転写等によって表面に形成するように構成した請求項１に記載の誘導加熱コイル。
【請求項３】
前記磁性体層形成手段によってリボン状導線にフェライトなど磁性材料を塗布または印刷、転写等によって表面に形成される磁性体層は、磁性材料とバインダーとなる接着成分からなり、磁性材料を接着成分で包み込むように形成して、磁性体層に絶縁性を付与するようにした請求項１または２に記載の誘導加熱コイル。
【請求項４】
前記スペース手段はマイカまたはポリテトラフルオロエチレンを前記リボン状導線間に挿入して形成した請求項２または３に記載の誘導加熱コイル。
【請求項５】
前記コイルベースにうず巻状のスペース形成溝を形成して、前記リボン状導線を挿入し、前記スペース形成溝を形成する壁でうず巻状に巻回した隣り合う前記リボン状導線間に間隔を設けるように形成した請求項１〜３のいずれか１項に記載の誘導加熱コイル。
【請求項６】
前記スペース形成溝を形成したコイルベースの表面にフェライトなど磁性材料を塗布または印刷、転写等によって表面に形成し、磁性体層を設けた請求項５に記載の誘導加熱コイル。
【請求項７】
請求項１〜６のいずれか１項に記載の誘導加熱コイルを用いた誘導加熱調理器。
【発明の詳細な説明】
【技術分野】
【０００１】
本発明は、損失を低減し、冷却性を向上させた誘導加熱コイルを容易に製造できる構成にした誘導加熱調理器に関するものである。
【背景技術】
【０００２】
誘導加熱は電磁誘導を利用して加熱することで、近年、これを利用した新しい調理器具の加熱方式として、誘導加熱調理器は家庭の中でも普及しつつある。
【０００３】
上述の誘導加熱の原理は、導線に交流電流を流すと、その周りに向き、強度の変化する磁力線が発生する。その近くに電気を通す物質（通常は金属）を置くとこの変化する磁力線の影響を受けて、金属の中に渦電流が流れる。金属には通常電気抵抗があるため、金属に電流が流れると  電力＝電流の２乗×抵抗分のジュール熱が発生して金属が加熱される現象をいう。
【０００４】
実際の誘導加熱調理器は、高周波インバータ電源が誘導加熱コイルに高周波電流を供給すると、誘導加熱コイルで高周波磁界が発生し、これが鍋に加わり、鍋（金属製）が直接発熱する仕組みを用いている。
【０００５】
ここで、高周波電流が誘導加熱コイルを構成する導体を流れる時、電流密度が導体の表面で高く、表面から離れると低くなる現象、即ち、表皮効果が生じ、抵抗が増加して、温度上昇が大きくなり効率が低下する等の課題がある。
【０００６】
従来、この種の誘導加熱コイルは、この防止策として、導体の細分化によって導体表面積を大きくする方法があり、細いエナメル線を複数本撚り合せたリッツ線をうず巻状に巻回して誘導加熱コイルを形成したものが主流となっている。
【０００７】
しかしながら、リッツ線は、形成するそれぞれの線が細いため、誘導加熱コイルの製作時に、引っかかりなど何らかの理由で、捻れて傷ついたり、断線したりするなど損傷を受けやすく、取り扱いに注意を要する上に、リッツ線を形成するそれぞれの線に絶縁のためのエナメル処理をしてあり、コストアップになってしまう課題があった。
【０００８】
そこで、簡素かつ容易な工法でかつ従来誘導加熱コイルの同様以下の損失となる誘導加熱コイルを実現し、冷却性能等に余裕を持たせ、結果安価な誘導加熱装置を提供するために、誘導加熱装置用誘導加熱コイルで渦巻き状の電気導体の間に磁性体を挿入する構成がある（例えば、特許文献１参照）。
【０００９】
図７は、特許文献１に記載された従来の誘導加熱装置用誘導加熱コイルを示すものである。図７に示すように、電気導体５１で渦巻き状に形成し、磁性体５２で電気導体５１の内周部の電気導体５１の間に挿入されている。また、中周部及び外周部の前記電気導体５１間は、空間を空けて構成されている。
【００１０】
一般的に、近接した電気導体に平行に電流が流れると互いの電気導体から発生する磁界の影響で電流が流れにくくなるという近接効果が発生する。上述の近接効果についてリッツ線を用いたもので詳述する。
【００１１】
図８は近接するコイル周辺の電磁環境摸式図を示すものである。
【００１２】
図８において、電気導体５３のコイル線から生じる磁束５４を示している。図８中、コイル線５３には、紙面手前から向こう側に電流が流れるものとしている。コイル線５３の電流は、近接する互いのコイル線から生じる磁束５４により、近接するコイル線より遠ざかる方向へ分布が偏る。
【００１３】
図８中、コイル線５３の色の濃淡は、電流密度を表しており、濃い部分では電流密度が高いことを示している。この電流分布の偏りを生じさせる一連の現象を一般的に近接効果と呼ぶ。
【００１４】
この近接効果により、誘導加熱コイルの抵抗（特に高周波電流を流したときの高周波抵抗）が大きくなり、誘導加熱コイルの発熱損失が増加する。
【００１５】
従来、この問題を解決するために、図７に示すように電気導体５１のターン間に磁性体５２を挿入することで、電気導体５１に電流が流れた際に磁界が発生し、電気導体５１に磁束が影響しようとするが、電気導体５１のターン間に設けられた磁性体５２の方に磁束が作用することで、近接効果を低減でき、結果として誘導加熱コイルの抵抗が低減し、誘導加熱コイルの発熱損失が低減することになる。
【先行技術文献】
【特許文献】
【００１６】
【特許文献１】特開２００２−４３０４４号公報
【発明の概要】
【発明が解決しようとする課題】
【００１７】
しかしながら、前記従来の構成では、渦巻き状にした電気導体５１のターン間に磁性体５２を挿入するという構成なので、製造が難しいという課題を有していた。
【００１８】
特に磁性体５２を渦巻き状に加工して電気導体５１の間に挿入することが難しく、例えば、粉状の磁性体５２を用いて、渦巻き状の電気導体５１の間に挿入することは、磁性体５２が粉状であるため、その性質上、均等に形成することは難しく、もしできたとしても、その状態を維持することは困難で、極めて製作しにくいものであった。
【００１９】
また、磁性体５２の無い、即ち、電気導体５１間が空間だけの箇所の寸法を所定の値に維持することも困難であった。さらに、磁性体５２は基本的に導電性があり、電気導体５２間の絶縁性を確保することも難しかった。
【００２０】
本発明は、前記従来の課題を解決するもので、高周波抵抗を低減しつつ、簡単な構成で、加工性を大幅に向上させて、安価に生産できる誘導加熱コイルと、それを使用した誘導加熱調理器を提供することを目的とする。
【課題を解決するための手段】
【００２１】
前記従来の課題を解決するために、本発明の誘導加熱コイルは、銅箔やアルミ箔などの金属製導体箔をリボン状に形成したリボン状導線を円板状になるようにうず巻状に巻回し形成し、且つ、うず巻状に巻回した隣り合う前記リボン状導線間に間隔を設けるスペース手段を配設するとともに、前記スペース手段あるいはリボン状導線にフェライトなど磁性材料の磁性体層を表面に形成する磁性体層形成手段を配設し、うず巻状に巻回した隣り合う前記リボン状導線間に磁性体層を配設した構成としたものである。
【００２２】
これによって、銅箔やアルミ箔などの金属製導体箔をリボン状に形成したリボン状導線を円板状になるようにうず巻状に巻回し形成してあるので、捻れて傷ついたり、断線しに
くくなり、取り扱いが容易になり、また、断面形状が扁平状の長方形であるため、うず巻状に巻回してコイル状に形成しやすく、加工性が大幅に向上する。
【００２３】
さらに、銅箔やアルミ箔などの金属製導体箔をリボン状に形成したリボン状導線の断面積は、従来のリッツ線の細いエナメル線を複数本撚り合せたものの断面積に相当し、簡単な構成で、加工性を大幅に向上させることができる。
【００２４】
そして、うず巻状に巻回した隣り合う前記リボン状導線間に間隔を設けるスペース手段を配設するとともに、前記スペース手段あるいはリボン状導線にフェライトなど磁性材料の磁性体層を表面に形成する磁性体層形成手段を配設し、うず巻状に巻回した隣り合う前記リボン状導線間に磁性体層を配設してあるので、スペース手段と磁性体層の相乗効果で、近接効果で生じる高周波抵抗を低減できる。
【００２５】
特に、近接効果で生じる高周波抵抗の低減は、スペース手段と磁性体層の相乗効果で、スペース手段で設けるうず巻状に巻回した隣り合うリボン状導線間に間隔を大きくする必要もなく、また、磁性体層形成手段で表面に形成するフェライトなど磁性材料の磁性体層の厚さもさほど必要なく、結果的にコンパクトに、誘導加熱コイルを形成することができ、結果として誘導加熱コイルの抵抗が低減し、誘導加熱コイルの発熱損失が低減することができる。
【００２６】
また、磁性体層形成手段で形成する磁性体層の厚さはさほど必要ないので、フェライトなど磁性材料を塗布または印刷、転写等によって容易に表面に形成することができるとともに、磁性体層の厚さが薄いため、曲がりやすく構成でき、うず巻状に巻回してコイル状に形成しやすく、加工性を大幅に向上することができる。
【発明の効果】
【００２７】
本発明の誘導加熱コイルは、リボン状導線を用いることで、うず巻状に巻回してコイル状に形成しやすく、簡単な構成で、加工性を大幅に向上させることができるようになる。また、スペース手段と磁性体層の相乗効果で、近接効果で生じる高周波抵抗の低減をできるとともに、コンパクトに、誘導加熱コイルを形成することができ、さらに、磁性体層を薄くできるので、塗布または印刷、転写等によって容易に表面に形成できるとともに、磁性材料を曲がりやすく構成でき、うず巻状に巻回してコイル状に形成しやすく、高周波抵抗を低減しつつ、加工性が大幅に向上させ、安価な誘導加熱コイルを提供することができる。
【図面の簡単な説明】
【００２８】
【図１】本発明の実施の形態１における誘導加熱調理器の要部断面図
【図２】本発明の実施の形態１における誘導加熱コイルの要部拡大断面図
【図３】本発明の実施の形態１における誘導加熱調理器の要部平面図
【図４】本発明の実施の形態１におえる誘導加熱調理器の制御ブロック図
【図５】本発明の実施の形態２における誘導加熱調理器の要部断面図
【図６】本発明の実施の形態２における誘導加熱コイルの要部拡大断面図
【図７】従来の誘導加熱装置用誘導加熱コイルの断面図
【図８】近接するコイル周辺の電磁環境摸式図
【発明を実施するための形態】
【００２９】
第１の発明は、被加熱調理容器を加熱する略円形状の誘導加熱コイルと、前記誘導加熱コイルを保持するコイルベースとを備え、前記誘導加熱コイルは、銅箔やアルミ箔などの金属製導体箔をリボン状に形成したリボン状導線を円板状になるようにうず巻状に巻回し形成し、且つ、うず巻状に巻回した隣り合う前記リボン状導線間に間隔を設けるスペース
手段を配設するとともに、前記スペース手段あるいはリボン状導線にフェライトなど磁性材料の磁性体層を表面に形成する磁性体層形成手段を配設し、うず巻状に巻回した隣り合う前記リボン状導線間に磁性体層を配設した構成としている。
【００３０】
これによって、銅箔やアルミ箔などの金属製導体箔をリボン状に形成したリボン状導線を円板状になるようにうず巻状に巻回し形成してあるので、捻れて傷ついたり、断線しにくくなり、取り扱いが容易になり、また、断面形状が扁平状の長方形であるため、うず巻状に巻回してコイル状に形成しやすく、加工性が大幅に向上する。
【００３１】
さらに、銅箔やアルミ箔などの金属製導体箔をリボン状に形成したリボン状導線の断面積は、従来のリッツ線の細いエナメル線を複数本撚り合せたものの断面積に相当し、簡単な構成で、加工性を大幅に向上させることができる。
【００３２】
そして、うず巻状に巻回した隣り合う前記リボン状導線間に間隔を設けるスペース手段を配設するとともに、前記スペース手段あるいはリボン状導線にフェライトなど磁性材料の磁性体層を表面に形成する磁性体層形成手段を配設し、うず巻状に巻回した隣り合う前記リボン状導線間に磁性体層を配設してあるので、スペース手段と磁性体層の相乗効果で、近接効果で生じる高周波抵抗を低減することができる。
【００３３】
特に、近接効果で生じる高周波抵抗の低減は、スペース手段と磁性体層の相乗効果で、スペース手段で設けるうず巻状に巻回した隣り合うリボン状導線間に間隔を大きくする必要もなく、また、磁性体層形成手段で表面に形成するフェライトなど磁性材料の磁性体層の厚さもさほど必要なく、結果的にコンパクトに、誘導加熱コイルを形成することができ、結果として誘導加熱コイルの抵抗が低減し、誘導加熱コイルの発熱損失を低減することができる。
【００３４】
また、磁性体層形成手段で形成する磁性体層の厚さはさほど必要ないので、フェライトなど磁性材料を塗布または印刷、転写等によって容易に表面に形成することができるとともに、磁性体層の厚さが薄いため、曲がりやすく構成でき、うず巻状に巻回してコイル状に形成しやすく、加工性を大幅に向上することができる。
【００３５】
第２の発明は、特に、第１の発明の磁性体層形成手段はリボン状導線にフェライトなど磁性材料を塗布または印刷、転写等によって表面に形成するように構成したものてある。
【００３６】
これによって、磁性体層形成手段はリボン状導線にフェライトなど磁性材料を塗布または印刷、転写等によって表面に形成してあるので、リボン状導線と磁性体層が一体形成されて、位置ずれ等の心配がなくなり、経年的にも磁性体層にひび割れ等を生じても脱落しなければ影響は少なく、リボン状導線に対する磁性体層の効果を安定化することができる。また、磁性体層は強度を有するリボン状導線に一体化されているので、取り扱いが容易で、うず巻状に巻回してコイル状に形成しやすく、加工性を大幅に向上することができる。
【００３７】
第３の発明は、特に、第１または第２の発明の磁性体層形成手段によってリボン状導線にフェライトなど磁性材料を塗布または印刷、転写等によって表面に形成される磁性体層は、磁性材料とバインダーとなる接着成分からなり、磁性材料を接着成分で包み込むように形成して、磁性体層に絶縁性を付与するようにしたものである。
【００３８】
これによって、磁性材料を接着成分で包み込むように形成して、磁性体層に絶縁性を付与するようにしてあるので、リボン状導線を他の手段で絶縁しなくてもよくなり、加工工程を簡素化でき、加工性を大幅に向上するとともに安価にすることができる。
【００３９】
第４の発明は、特に、第２または第３の発明のスペース手段はマイカあるいはポリテトラフルオロエチレンなどの誘電損失の低く耐熱性の高い材料を前記リボン状導線間に挿入して形成したものである。
【００４０】
これによって、スペース手段はマイカあるいはポリテトラフルオロエチレンなどの誘電損失の低く耐熱性の高い材料を前記リボン状導線間に挿入して形成してあるので、前記リボン状導線間の漏れ電流による損失を低減することができる。
【００４１】
第５の発明は、特に、第１〜３のいずれか１つの発明のコイルベースにうず巻状のスペース形成溝を形成して、前記リボン状導線を挿入し、前記スペース形成溝を形成する壁でうず巻状に巻回した隣り合う前記リボン状導線間に間隔を設けるように形成したものである。
【００４２】
これによって、コイルベースにうず巻状のスペース形成溝を形成して、前記リボン状導線を挿入し、前記スペース形成溝を形成する壁でうず巻状に巻回した隣り合う前記リボン状導線間に間隔を設けるように形成してあるので、マイカあるいはポリテトラフルオロエチレンなどの他の部品を必要にすることなく、構成が簡単になり安価に構成できるとともに、リボン状導線の熱をコイルベースに伝熱して、リボン状導線の温度低下をさせることができ、リボン状導線の熱劣化を低減することができる。
【００４３】
第６の発明は、特に、第５の発明のスペース形成溝を形成したコイルベースの表面にフェライトなど磁性材料を塗布または印刷、転写等によって表面に形成し、磁性体層を設けたものである。
【００４４】
これによって、スペース形成溝を形成したコイルベースの表面にフェライトなど磁性材料を塗布または印刷、転写等によって表面に形成し、磁性体層を設けてあるので、磁性体層はコイルベースの表面に固定化されるため、リボン状導線に磁性体層を設けたものに比べ、誘導加熱コイル製作時に曲げ等の力がかからず、磁性体層の劣化の心配がなく、また、構造を簡素化でき、加工性を大幅に向上させ、安価に生産することができる。
【００４５】
第７の発明は、特に第１〜６のいずれか１つの発明の誘導加熱コイルを用いた誘導加熱調理器とすることにより、上記した第１〜６のいずれか１つの発明の作用効果が得られ、高周波抵抗を低減しつつ、簡単な構成で、加工性を大幅に向上させて、安価に生産できる誘導加熱コイルを用いた誘導加熱調理器を得ることができるようになる。
【００４６】
以下、本発明の実施の形態について、図面を参照しながら説明する。なお、この実施の形態によって本発明が限定されるものではない。
【００４７】
（実施の形態１）
図１は本発明の第１の実施の形態における誘導加熱調理器の要部断面図、図２は本発明の第１の実施の形態における誘導加熱コイルの要部拡大断面図、図３は本発明の第１の実施の形態における誘導加熱調理器の要部平面図、図４は本発明の第１の実施の形態における誘導加熱調理器の制御ブロック図である。
【００４８】
図１〜図４に示すように、本体２１の天面は鍋などの被加熱調理容器２２を載置する天板２３で形成され、その一部に操作部２１ａ（図３）が設けてあり、天板２３の内側には被加熱調理容器２２を加熱する略円形状の加熱コイル２４と、上記誘導加熱コイル２４の運転や電源供給するインバータ部２５を制御する制御部２６が配置されていて、制御部２６が、インバータ部２５のスイッチング半導体をオン，オフしてインバータ部２５の高周
波発振を制御するとともに発振動作の起動，停止も制御している。
【００４９】
上記インバータ部２５は、周波数変換装置の一つで、電源整流器，フィルタコンデンサ，共振コンデンサ，スイッチング半導体などを含み、商用電源２７を高周波電流に変換し、この高周波電流を誘導加熱コイル２４に供給して、誘導加熱コイル２４は被加熱調理容器２２の近傍で高周波磁界を発生し被加熱調理容器２２の底を加熱するようになっている。
【００５０】
また、誘導加熱コイル２４は、耐熱樹脂性のコイルベース２８上に載置されており、２枚のリボン状銅箔線２９にフェライトなど磁性材料を印刷によって表面に磁性体層３０を形成したものを円板状になるようにうず巻状に巻回し形成し、且つ、うず巻状に巻回した隣り合うリボン状銅箔線２９間に間隔を設けるようにマイカ３１をリボン状銅箔線２９間に挿入して形成してある。
【００５１】
さらに、リボン状銅箔線２９の表面に形成した磁性体層３０は、磁性材料とバインダーとなる接着成分からなり、磁性材料を微細粉として接着成分で包み込むように形成して、磁性体層３０に絶縁性を付与するようにしてある。
【００５２】
以上のように構成された加熱調理器について、以下その動作、作用を説明する。
本体２１の天面は鍋などの被加熱調理容器２２を載置して、使用者が操作部２１ａを操作して、所定の条件で加熱を開始すると、制御部が、インバータ部２５を稼働させて高周波電流を誘導加熱コイル２４に供給し、誘導加熱コイル２４は被加熱調理容器２２の近傍で高周波磁界を発生して、被加熱調理容器２２の底を加熱するようになっている。
【００５３】
ここで、誘導加熱コイル２４はリボン状銅箔線２９を円板状になるようにうず巻状に巻回し形成してあるので、捻れて傷ついたり、断線しにくくなり、取り扱いが容易になり、また、断面形状が扁平状の長方形であるため、うず巻状に巻回してコイル状に形成しやすく、加工性が大幅に向上する。
【００５４】
さらに、リボン状銅箔線２９の断面積は、従来のリッツ線の細いエナメル線を複数本撚り合せたものの断面積に相当し、構造を簡素化でき、生産性を大幅に向上させ、安価な誘導加熱コイルを提供できるようになる。例えば、従来のリッツ線では、径０．３ｍｍの素線を３４芯に束ねたものであれば、その断面積は２．４平方ｍｍとなり、リボン状銅箔線２９であれば、０．４ｍｍの厚さで幅が３ｍｍのものを２枚以上使えば、その断面積が同等以上となり、幅を広げることなどで、容易に断面積を大きくすることができる。
【００５５】
尚、誘導加熱調理器で使われる周波数２０ｋＨｚ〜１００ｋＨｚ対する表皮効果による電流の流れる深さを示す表皮深さは、材質が銅の場合、２０ｋＨｚで０．４６７ｍｍ、１００ｋＨｚで０．２０９ｍｍであるので、板厚は０．４ｍｍ以下であれば表皮効果の影響を受けなく、材質がアルミの場合は、さらに表皮効果による表皮深さは、さらに深く１００ｋＨｚで０．２５２ｍｍとなり、板厚は０．５ｍｍ以下であれば表皮効果の影響を受けない。
【００５６】
従って、使われる周波数に対応する表皮効果による電流の流れる深さを示す表皮深さに応じて、リボン状導線の材質や、板厚を設定して、近接効果による高周波抵抗の増加分を考慮して、必要な抵抗成分つまり断面積から、板の幅や枚数を設定すればよい。
【００５７】
そして、うず巻状に巻回した隣り合うリボン状銅箔線２９間に間隔を設けるマイカ３１を配設するとともに、リボン状銅箔線２９にフェライトなど磁性材料を印刷によって表面に磁性体層３０を形成し、うず巻状に巻回した隣り合うリボン状銅箔線２９間に磁性体層
３０を配設してあるので、マイカ３１による間隙と磁性体層３０の相乗効果で、近接効果で生じる高周波抵抗を大幅に低減できる。
【００５８】
特に、近接効果で生じる高周波抵抗の低減は、マイカ３１による間隙と磁性体層３０の相乗効果で、マイカ３１による間隙を大きくする必要もなく、実験によれば、マイカ３１による間隙を０．２〜０．５ｍｍ程度にすればよく、また、フェライトなど磁性材料の磁性体層３０の厚さもさほど必要なく、実験によれば、磁性体層３０の厚さが１００μｍ程度あればよく、結果的にコンパクトに、誘導加熱コイルを形成することができ、結果として誘導加熱コイルの抵抗が低減し、誘導加熱コイルの発熱損失が低減することができるようになる。
【００５９】
また、磁性体層３０形成手段で形成する磁性体層３０の厚さはさほど必要ないので、フェライトなど磁性材料を塗布または印刷、転写等によって容易に表面に形成することができるとともに、磁性体層３０の厚さが薄いため、曲がりやすく構成でき、うず巻状に巻回してコイル状に形成しやすく、加工性が大幅に向上する。
【００６０】
そして、磁性体層３０形成手段はリボン状銅箔線２９にフェライトなど磁性材料を塗布または印刷、転写等によって表面に形成してあるので、リボン状銅箔線２９と磁性体層３０が一体形成されて、位置ずれ等の心配がなくなり、経年的にも磁性体層３０にひび割れ等を生じても脱落しなければ影響は少なくリボン状銅箔線２９に対する磁性体層３０の効果が安定化する。
【００６１】
また、磁性体層３０は強度を有するリボン状銅箔線２９に一体化されているので、取り扱いが容易で、うず巻状に巻回してコイル状に形成しやすく、加工性が大幅に向上する。
【００６２】
また、磁性材料を接着成分で包み込むように形成して、磁性体層３０に絶縁性を付与するようにしてあるので、リボン状銅箔線２９を他の手段で絶縁しなくてもよくなり、加工工程を簡素化でき、加工性が大幅に向上するとともに安価にすることができる。
【００６３】
尚、リボン状銅箔線２９は、折り曲げて、その表面積が大きくなるように形成するか、あるいは、銅箔やアルミ箔などの金属製導体箔の薄板を短冊状に形成したものを絶縁処理して複数枚重ねて、その表面積が大きくなるように形成してもよい。
【００６４】
これによれば、リボン状銅箔線２９は、折り曲げて、その表面積が大きくなるように形成するか、あるいは、銅箔やアルミ箔などの金属製導体箔の薄板を短冊状に形成したものを絶縁処理して複数枚重ねて、その表面積が大きくなるように形成してあるので、表面積が重ねた枚数分表面積が増え、表皮効果で生じる高周波抵抗を低減できるとともに、リボン状銅箔線２９自身の抵抗も下げることができ、誘導加熱コイルの発熱損失をさらに低減することできるようになる。
【００６５】
（実施の形態２）
図５は本発明の第２の実施の形態における誘導加熱調理器の要部断面図、図６は本発明の第２の実施の形態における誘導加熱コイルの要部拡大断面図である。実施の形態１と同一部分は同一符号を付記して、その説明を省略し異なる部分のみを説明する。
【００６６】
コイルベース４１にうず巻状のスペース形成溝４２を形成して、リボン状銅箔線４３を挿入し、前記スペース形成溝４２を形成する壁でうず巻状に巻回した隣り合う前記リボン状銅箔線４３間に間隔を設けるように形成するとともに、スペース形成溝４２を形成したコイルベース４１の表面にフェライトなど磁性材料を塗布によって表面に形成した磁性体層４４を設けてある。
【００６７】
ここで、コイルベース４１にうず巻状のスペース形成溝４２を形成して、前記リボン状銅箔線４３を挿入し、前記スペース形成溝４２を形成する壁でうず巻状に巻回した隣り合う前記リボン状銅箔線４３間に間隔を設けるように形成してあるので、マイカ３１あるいはポリテトラフルオロエチレンなどの他の部品を必要にすることなく、構成が簡単になり安価に構成できるとともに、リボン状銅箔線４３の熱をコイルベース４１に伝熱して、リボン状銅箔線４３の温度低下をさせることができ、リボン状銅箔線４３の熱劣化を低減できるようになる。
【００６８】
また、スペース形成溝４２を形成したコイルベース４１の表面にフェライトなど磁性材料を塗布または印刷、転写等によって表面に形成し、磁性体層４４を設けてあるので、磁性体層４４はコイルベース４１の表面に固定化されるため、リボン状銅箔線４３に磁性体層４４を設けたものに比べ、誘導加熱コイル製作時に曲げ等の力がかからず、磁性体層４４の劣化の心配がなく、また、構造を簡素化でき、生産性を大幅に向上させ、安価な誘導加熱コイルを提供することができる。
【００６９】
尚、スペース形成溝４２を形成したコイルベース４１の表面にフェライトなど磁性材料を塗布または印刷、転写等によって表面に形成し、磁性体層４４を設けたものに、さらに、磁性体層４４の表面に塗布または印刷、転写等によって絶縁層を形成してもよい。
【００７０】
これによれば、リボン状導線に絶縁性が不要となり、さらに、加工工程が簡素化でき、生産性を向上することができる。
【産業上の利用可能性】
【００７１】
以上のように、本発明にかかる誘導加熱コイルは、高周波抵抗を低減しつつ、簡単な構成で、加工性を大幅に向上させて、安価に生産できることが可能となるので、誘導加熱を利用した産業分野等の用途にも適用できる。
【符号の説明】
【００７２】
２２  被加熱調理容器
２４  誘導加熱コイル
２８、４１  コイルベース
２９、４３  リボン状銅箔線（リボン状導線）
３０、４４  磁性体層
３１  マイカ（スペース手段）
４２  スペース形成溝
【図１】
2011146188.tif 000003
【図２】
2011146188.tif 000004
【図４】
2011146188.tif 000005
【図５】
2011146188.tif 000006
【図６】
2011146188.tif 000007
【図７】
2011146188.tif 000008
【図８】
2011146188.tif 000009
【図３】
2011146188.tif 000010